(57)【要約】 【課題】  本発明は道路上に設置されて、車両に対する所定の表示を行うための新規の交通標識の提供を図ったものである。【解決手段】  衝撃に基づく柔軟的変形性及び復元性を具えた材料で形成した円盤状を呈する標識主体盤１と、当該主体盤１の下面を閉鎖するように着脱自在に取り付けるための円形基盤２とから成り、当該主体盤１と円形基盤２とで形成される空間内に、当該主体盤１を上方に膨らんだ状態での復元安定化を図るための弾力的支持媒体を収装する。【選択図】  図１
2013185373.tif 000002
【特許請求の範囲】
【請求項１】
衝撃に基づく柔軟的変形性及び復元性を具えた材料で形成しかつ上面を弧状に膨出させると共にその外面には所要の文字、或いは図形、若しくは反射発光面等、目的に応じた適宜な表示を施すようにした円盤状を呈する標識主体盤(１)と、
当該主体盤(１)の下面を閉鎖するように着脱自在に取り付けるための円形基盤(２)とから成り、
当該主体盤(１)と円形基盤(２)とで形成される空間内に、当該主体盤(１)を上方に膨らんだ状態の復元安定化を図るための弾力的支持媒体を収装するように構成した交通標識。
【請求項２】
主体盤(１)を上方に膨らんだ状態で復元安定化を図るための弾力的支持媒体として、所要数にして所要の大きさのクッションボール(３)を用いるように構成した請求項１に記載の交通標識。
【請求項３】
クッションボールとして、ウレタン、独立気泡または連続気泡のスポンジ材等、弾力性を具えた材料で一体形成したものを用いるように構成した請求項２に記載の交通標識。
【請求項４】
クッションボールとして、ゴム製ボール状にしてその内部に気体（空気等）、液体、ジェル剤等を密封して弾力性を保持させたものを用いるように構成した請求項２に記載の交通標識。
【請求項５】
クッションボールとして、マグネット製の球体を用いるように構成した請求項２に記載の交通標識。
【請求項６】
主体盤(１)を上方に膨らんだ状態で復元安定化を図るための弾力的支持媒体として、標識主体盤(１)の上面部内面側と円形基盤(２)の底面部内面側に、磁力材(Ａ，Ｂ)を夫々極性を違えて取付けることに依って生じる磁気的反発力を、上記弾力的支持媒体とするように構成した請求項１に記載の交通標識。
【請求項７】
中央部分に突起状表示部(Ｍ)を付加的に設けるように構成した請求項１乃至請求項６の何れかに記載の交通標識。
【発明の詳細な説明】
【技術分野】
【０００１】
本発明は道路等に設置されて、車両に対する所定の表示を行うための交通標識に関する。
【背景技術】
【０００２】
従来、道路上に設置して所定の案内等を行うものとして、三角錐状を呈する交通標識塔がある（例えば、特許文献１参照。）。  これは比較的弾力性に富んだ合成樹脂材料で製したものであり、主として道路上に載置して使用に供するものである。
【０００３】
【特許文献１】実開平０７―３４０１５号公報
【発明の概要】
【発明が解決しようとする課題】
【０００４】
上述したような三角錐状を呈する従来の交通標識の場合、車両が衝突した際、その力がそのまま掛かって踏み潰して破損させてしまったり、衝撃で吹き飛ばしてしまったりすることを余儀なくされた。
【０００５】
そして、当該交通標識は、本来的に車両が頻繁に走行する場所に設置する関係上、車両による踏み潰し等の事態が発生することは当然のことであるにも関わらす、これに対する対応は殆どとられていないと言うのが実情である。  そして、このような交通標識は、通常、単に載置しておくだけのものであるため、車両の接触等に基づき所定の場所からズレ動いてしまうことが頻発した。
【０００６】
本発明は、上述したような従来の問題を解決した新規の交通標識の提供を図ったものである。
【課題を解決するための手段】
【０００７】
本発明は請求項１に記載のように、衝撃に基づく柔軟的変形性及び復元性を具えた材料で形成しかつ上面を弧状に膨出させると共にその外面には所要の文字、或いは図形、若しくは反射発光面等、目的に応じた適宜な表示を施すようにした円盤状を呈する標識主体盤１と、当該主体盤１の下面を閉鎖するように着脱自在に取り付けるための円形基盤２とから成り、当該主体盤１と円形基盤２とで形成される空間内に、当該主体盤１を上方に膨らんだ状態での復元安定化を図るための弾力的支持媒体を収装するように構成した交通標識に係る。
【０００８】
本発明は請求項２に記載のように、主体盤１を上方に膨らんだ状態で復元安定化を図るための弾力的支持媒体として、所要数にして所要の大きさのクッションボール３を用いるように構成した請求項１に記載の交通標識を実施の態様とする。
【０００９】
本発明は請求項３に記載のように、クッションボールとして、ウレタン、独立気泡または連続気泡のスポンジ材等、弾力性を具えた材料で一体形成したものを用いるように構成した請求項２に記載の交通標識を実施の態様とする。
【００１０】
本発明は請求項４に記載のように、クッションボールとして、ゴム製ボール状にしてその内部に気体（空気等）、液体、ジェル剤等を密封して弾力性を保持させたものを用いるように構成した請求項２に記載の交通標識を実施の態様とする。
【００１１】
本発明は請求項５に記載のように、クッションボールとして、マグネット製の球体を用いるように構成した請求項２に記載の交通標識を実施の態様とする。
【００１２】
本発明は請求項６に記載のように、  主体盤１を上方に膨らんだ状態で復元安定化を図るための弾力的支持媒体として、標識主体盤１の上面部内面側と円形基盤２の底面部内面側に、磁力材Ａ，Ｂを夫々極性を違えて取付けることに依って生じる磁気的反発力を、上記弾力的支持媒体とするように構成した請求項１に記載の交通標識を実施の態様とする。
【００１３】
本発明は請求項７に記載のように、中央部分に突起状表示部Ｍを付加的に設けるように構成した請求項１乃至請求項６の何れかに記載の交通標識を実施の態様とする。
【発明の効果】
【００１４】
本発明は請求項１に際のような構成を採用したから、車道所要箇所に設置することに依り、或いはガードレールの表面等に取付けることに依り、良好なる表示効果を奏することが出来る。  そして車両の不測の衝突または乗り上げに基づき、標識主体盤１が潰されても、「主体盤１を上方に膨らんだ状態で復元安定化を図るための弾力的支持媒体を収装する」ように構成したことに依り、当該標識主体盤１の破損が防止されると共に、当該変形させる荷重が取り除かれた際には、原状に復帰して引き継きその機能を発揮する。
【００１５】
本発明は請求項２に記載のような構成、すなわち、主体盤１を上方に膨らんだ状態で復元安定化を図るための弾力的支持媒体として、所要数にして所要の大きさのクッションボール３を用いるように構成したから、その原状復帰性の確実化が図られる。
【００１６】
本発明は請求項３乃至請求項５に記載のような構成を採用することに依り、実際の使用上、最適とする弾力的支持媒体の採用が果たされる。
【００１７】
本発明は請求項６に記載のような構成を採用したから、すなわち、「磁気的反発力を両者の弾力的支持媒体とするように構成」することに依り、負荷に対する変形及びその解消に伴う復元性が極めて円滑かつ安定して行われることとなる。
【００１８】
本発明は請求項７に記載のような構成を採用することに依り、突起状表示部Ｍの存在性に基づき交通標識としての汎用的表示目的の達成が図られることとなる。
【発明を実施するための最良の形態】
【００１９】
図１乃至図５は本発明の第１の実施例を表したものである。  同図において、１は上面を弧状に膨出させた円盤状を呈する標識主体盤、２は当該主体盤１の下面を閉鎖するように取り付けた円形基盤であって、両者を着脱可能に連結することに依って、中空形態の標識が形成されるように構成してある。
【００２０】
なお、上記した主体盤１の外面には所要の文字或いは、図形若しくは反射発光面等、目的に応じた適宜な表示を施すものとする。
【００２１】
上記した標識主体盤１であるが、その形成材料は衝撃に対する強さと、当該衝撃に基づく柔軟的変形性及び復元性を具えた材料で形成すると共に、その内部には当該標識主体盤１を上方に膨らんだ状態での安定化を図るための弾力的支持媒体を収装してある。
【００２２】
図示の実施例にあっては、当該弾力的支持媒体として所要数のクッションボール３を用いるように構成してある。  然し乍、当該クッションボール３は、ウレタン、独立気泡または連続気泡のスポンジ材料等弾力性を具えた材料で一体形成したもの、或いは、ゴム製ボール状にしてその内部に気体（空気等）、液体、ジェル剤等を密封して弾力性を保持させたものを用いるように構成したものであっても良い。  そして、ボールの数及び大きさは図面に示すものに限定されることなく適宜なものであっても可とする。  更には、マグネット製の球体を用いるように構成しても良い。
【００２３】
また、標識主体盤１と円形基盤２との連結であるが、図示の実施例にあっては、図４に示すように標識主体盤１の周縁に等間隔でリップ部１ａを設けると共に、これらに雌スナップ１ｂを取付け、これを円形基盤２の対応箇所に取付けた雄スナップ２ａに対して係脱自在に掛止めることに依って（図３参照。）、当該標識主体盤１と円形基盤２との連結を着脱自在とするように構成してある。  然し乍、着脱自在とする手段であれば、これ以外適宜な手段であっても可とする。  なお、図３に示す実施例にあっては、雌スナッ１ｂの上面は、円形基盤２に設けたフラップ状部分２ｂで覆うように構成してある。  なお、これを着脱自在とした理由は、目的に応じての標識主体盤１の変更、或いはこれが破損した場合の交換等が可能とするためである。
【００２４】
図６は本発明の第２実施例を表したものであって、標識主体盤１の底面部の内面側と、円形基盤２の上面部の内面側に、磁力材Ａ，Ｂを夫々その極性を違えて取付け、その磁気的反発力を両者の弾力的支持媒体とするように構成したものである。
【００２５】
図７は本発明の第３実施例を表したものであって、中央部分に突起状表示部Ｍを付加的に設けるように構成してある。  Ｓは環状安定座であって、当該突起状表示部Ｍの底部の安定化を図るためのものである。  なお、このような環状安定座Ｓは図１に示すように、中央のクッションボール３に対する安定用として形成する場合もある。
【００２６】
本発明はガードレール面、或いは路面上等、所要箇所に載置または接着して使用に供するものである。  この状態においていて車両が誤って轢いてしまったり、または、踏みつけてしまったりして負荷が加わった場合、標識主体盤１部分が潰れたような状態となるが、その負荷が除去された際には、前述したように収装する所要の弾力的支持媒体の作用で直ちに原状に復帰することとなる。
【図面の簡単な説明】
【００２７】
【図１】本発明に係る交通標識の第１実施例を表した正面図である。
【図２】同上平面図である。
【図３】図１に示すＰ部分を拡大して示す断面図である。
【図４】本発明の要旨部品である標識主体盤１の平面図である。
【図５】図４におけるＸ−Ｘ線部分で切断した端面図である。
【図６】本発明の第２実施例を表した縦断正面図である。
【図７】本発明の第３実施例を表した縦断正面図である。
【符号の説明】
【００２８】
１  標識主体盤
1a リップ部
1b 雌スナップ
２  円形基盤
2a 雄スナップ
2b フラップ状部分
３  クッションボール
Ａ  磁力材
Ｂ  磁力材
Ｍ  突起状表示部
Ｓ  環状安定座
【図１】
2013185373.tif 000003
【図２】
2013185373.tif 000004
【図３】
2013185373.tif 000005
【図４】
2013185373.tif 000006
【図５】
2013185373.tif 000007
【図６】
2013185373.tif 000008
【図７】
2013185373.tif 000009